(57)【要約】【課題】  移動ができ、下水道が完備していない地域でも使用することのできる車両運搬可能な水洗トイレ設備を提供する。【解決手段】  便器１０と、便器１０から排出された汚水Ｗ１が貯留される汚水貯留槽２０と、汚水貯留槽２０の汚水Ｗ１が移送される汚水調整槽３１および汚水調整槽３１の汚水Ｗ１が移送され、内部に濾過膜部３５を設けた曝気槽３４を有する膜分離汚水処理装置３０と、濾過膜部３５を通過した処理水Ｗ２が移送される処理水貯留槽４０と、処理水貯留槽４０の処理水Ｗ２を便器１０に供給する加圧給水ポンプ５０と、加圧給水ポンプ５０と便器１０との間に設けられ、処理水Ｗ２を濾過する活性炭濾過装置６０と、第一超微細気泡発生装置７４を有する第一オゾン処理装置７０とを、取り外し自在に設置する。【選択図】    図１
0003169191.tif 000002
【実用新案登録請求の範囲】
【請求項１】
取り外し自在に設置される水洗トイレ設備であって、コック（１１）または水タンク（１２）を備えた便器（１０）と、前記便器から排出された汚水（Ｗ１）が貯留される汚水貯留槽（２０）と、前記汚水貯留槽の汚水が第一汚水管（２２）によって移送される汚水調整槽（３１），および前記汚水調整槽の汚水が第二汚水管（３３）によって移送され，内部に，浸漬型平膜，セラミック膜，および外圧型中空糸膜を有する濾過膜部（３５）と，該濾過膜部の直下に設けられ，第一ブロア（３７）から供給された空気によって気泡を発生する気泡発生機（３６）とを有する曝気槽（３４）を備える膜分離汚水処理装置（３０）と、前記曝気槽の濾過膜部を通過した処理水（Ｗ２）が，処理水管（３９）によって移送される処理水貯留槽（４０）と、前記コックまたは水タンクが開くことによって作動し，前記処理水貯留槽の処理水を前記便器に供給する加圧給水ポンプ（５０）と、前記加圧給水ポンプと前記便器との間に設けられ，前記処理水を濾過する活性炭濾過装置（６０）と、前記処理水貯留槽の処理水を混気ポンプ（７２）によって循環させる循環パイプ（７１），該循環パイプにオゾンを供給する第一オゾン発生機（７３），および前記処理水とオゾンとでなるオゾン水が通過する第一超微細気泡発生装置（７４）を有する第一オゾン処理装置（７０）と、を備える車両運搬可能な移動式水洗トイレ設備。
【請求項２】
取り外し自在に設置される水洗トイレ設備であって、コック（１１）または水タンク（１２）を備えた便器（１０）と、前記便器から排出された汚水（Ｗ１）が貯留される汚水貯留槽（２０）と、前記汚水貯留槽の汚水が第一汚水管（２２）によって移送される汚水調整槽（３１），および前記汚水調整槽の汚水が第二汚水管（３３）によって移送され，内部に，浸漬型平膜，セラミック膜，および外圧型中空糸膜を有する濾過膜部（３５）と，該濾過膜部の直下に設けられ，第一ブロア（３７）から供給された空気によって気泡を発生する気泡発生機（３６）とを有する曝気槽（３４）を備える膜分離汚水処理装置（３０）と、前記曝気槽の濾過膜部を通過した処理水（Ｗ２）が，処理水管（３９）によって移送される処理水貯留槽（４０）と、前記コックまたは水タンクが開くことによって作動し，前記処理水貯留槽の処理水を前記便器に供給する加圧給水ポンプ（５０）と、前記加圧給水ポンプと前記便器との間に設けられ，前記処理水を濾過する活性炭濾過装置（６０）と、前記処理水貯留槽の処理水を混気ポンプ（７２）によって循環させる循環パイプ（７１），該循環パイプにオゾンを供給する第一オゾン発生機（７３），および前記処理水とオゾンとでなるオゾン水が通過する第一超微細気泡発生装置（７４）を備える第一オゾン処理装置（７０）と、前記第一オゾン処理装置と共に，または前記オゾン処理装置に代えて設けられ，前記処理水貯留槽の内部に配置される第二超微細気泡発生装置（８１），該第二超微細気泡発生装置に連通し，低濃度のオゾンを発生させる第二オゾン発生機（８３），および該第二オゾン発生機に連通する第二ブロワ（８２）を有する第二オゾン処理装置（８０）と、を備える車両運搬可能な移動式水洗トイレ設備。
【請求項３】
曝気槽（３４）と処理水貯留槽（４０）との間に、濾過膜部（３５）に強力洗浄用次亜塩素を供給する膜洗浄管（９０）を設けた請求項１または２に記載の移動式水洗トイレ設備。
【考案の詳細な説明】
【技術分野】
【０００１】
本考案は、移動が可能であり、水洗トイレから排出された汚水を、直接、下水道に放流することのできない地域においても使用することのできる水洗トイレ設備に関するものである。
【背景技術】
【０００２】
汚水を下水道に放流することのできない地域においては、一般的に汲み取り式トイレが使用されている。こうした地域にあっては、一部において簡易水洗式のトイレも使用されているが、最終的な処理は汲み取り式である。こうした汲み取り式トイレは、悪臭を放ち、衛生的にも好ましくないため、水洗式への切り替えが求められている。
【０００３】
なお、水洗式のトイレは、例えば、特許文献１に記載されている。
【先行技術文献】
【特許文献】
【０００４】
【特許文献１】特開２０１０−０２４８２２号公報
【考案の概要】
【考案が解決しようとする課題】
【０００５】
しかし、水洗式のトイレは、汚水を下水道に放流することのできない地域では使用することができない。また、下水道が完備している地域であっても、地震などによって下水道の機能が失われたり、あるいは下水道の完備してない地域で避難所生活を行っている場合には、水洗式のトイレを使用することができない。
【０００６】
本考案はこうした問題に鑑み創案されたもので、移動が可能であり、下水道が完備していない地域でも使用することのできる水洗トイレ設備を提供することを課題とする。
【課題を解決するための手段】
【０００７】
図１および図２を参照して説明する。請求項１に記載の車両運搬可能な移動式水洗トイレ設備１は、取り外し自在に設置されるものであり、コック１１または水タンク１２を備えた便器１０と、前記便器１０から排出された汚水Ｗ１が貯留される汚水貯留槽２０とを備える。なお、取り外し自在とは、溶接などの固定手段ではなく、ボルトやナットなどによって、容易に取り外しができるように固定することを意味する（以下、同じ）。
【０００８】
また、この設備１は、前記汚水貯留槽２０の汚水Ｗ１が第一汚水管２２によって移送される汚水調整槽３１、および前記汚水調整槽３１の汚水Ｗ１が第二汚水管３３によって移送され、内部に、浸漬型平膜、セラミック膜、および外圧型中空糸膜を有する濾過膜部３５と、その濾過膜部３５の直下に設けられ、第一ブロア３７から供給された空気によって気泡を発生する気泡発生機３６とを備える曝気槽３４を有する膜分離汚水処理装置３０を備える。
【０００９】
さらに、この設備１は、前記曝気槽３４の濾過膜部３５を通過した処理水Ｗ２が、処理水管３９によって移送される処理水貯留槽４０と、前記コック１１または水タンク１２が開くことによって作動し、前記処理水貯留槽４０の処理水Ｗ２を前記便器１０に供給する加圧給水ポンプ５０と、前記加圧給水ポンプ５０と前記便器１０との間に設けられ、前記処理水Ｗ２を濾過する活性炭濾過装置６０とを備える。
【００１０】
また、この設備１は、前記処理水貯留槽４０の処理水Ｗ２を混気ポンプ７２によって循環させる循環パイプ７１、その循環パイプ７１にオゾンを供給する第一オゾン発生機７３、および前記処理水Ｗ２とオゾンとでなるオゾン水が通過する第一超微細気泡発生装置７４を有する第一オゾン処理装置７０を備える。
【００１１】
請求項２に記載の車両運搬可能な移動式水洗トイレ設備１は、取り外し自在に設置されるもので、コック１１または水タンク１２を備えた便器１０と、前記便器１０から排出された汚水Ｗ１が貯留される汚水貯留槽２０とを備える。
【００１２】
また、この設備１は、前記汚水貯留槽２０の汚水Ｗ１が第一汚水管２２によって移送される汚水調整槽３１、および前記汚水調整槽３１の汚水Ｗ１が第二汚水管３３によって移送され、内部に、浸漬型平膜、セラミック膜、および外圧型中空糸膜を有する濾過膜部３５と、その濾過膜部３５の直下に設けられ、第一ブロア３７から供給された空気によって気泡を発生する気泡発生機３６とを備える曝気槽３４を有する膜分離汚水処理装置３０を備える。
【００１３】
さらに、この設備１は、前記曝気槽３４の濾過膜部３５を通過した処理水Ｗ２が、処理水管３９によって移送される処理水貯留槽４０と、前記コック１１または水タンク１２が開くことによって作動し、前記処理水貯留槽４０の処理水Ｗ２を前記便器１０に供給する加圧給水ポンプ５０と、前記加圧給水ポンプ５０と前記便器１０との間に設けられ、前記処理水Ｗ２を濾過する活性炭濾過装置６０とを備える。
【００１４】
また、この設備１は、前記処理水貯留槽４０の処理水Ｗ２を混気ポンプ７２によって循環させる循環パイプ７１、その循環パイプ７１にオゾンを供給する第一オゾン発生機７３、および前記処理水Ｗ２とオゾンとでなるオゾン水が通過する第一超微細気泡発生装置７４を有する第一オゾン処理装置７０を備える。
【００１５】
またさらに、この設備１は、前記第一オゾン処理装置７０と共に、または前記オゾン処理装置に代えて設けられ、前記処理水貯留槽４０の内部に配置される第二超微細気泡発生装置８１、その第二超微細気泡発生装置８１に連通し、低濃度のオゾンを発生させる第二オゾン発生機８３、およびその第二オゾン発生機８３７３に連通する第二ブロワ８２を有する第二オゾン処理装置８０を備える。
【００１６】
請求項３に記載の移動式水洗トイレ設備は、請求項１または２に記載の考案において、曝気槽３４と処理水貯留槽４０との間に、濾過膜部３５に強力洗浄用次亜塩素を供給する膜洗浄管９０を設けたものである。
【考案の効果】
【００１７】
請求項１に記載の移動式水洗トイレ設備１は、取り外し自在に設置されるものであるため、下水道が完備していない地域や、下水道が完備しているものの、地震などによって下水道の機能が失われた地域に、容易に設置することができる。
【００１８】
また、この移動式水洗トイレ設備１は、膜分離汚水処理装置３０、第一オゾン処理装置７０、および活性炭濾過装置６０を備えているので、汚水Ｗ１を効果的に浄化することができる。これにより、同じ水を、繰り返し使用することができる。
【００１９】
請求項２に記載の移動式水洗トイレ設備１は、請求項１に記載の発明と同様の効果を発揮する。また、この設備１は、第二オゾン処理装置８０を備えているので、第一オゾン処理装置７０と併せて使用する場合は、汚水Ｗ１をさらに効果的に浄化することができる。
【００２０】
請求項３に記載の移動式水洗トイレ設備は、請求項１または２に記載の考案と同様の効果を発揮することに加え、次亜塩素によって目詰まりした濾過膜部３５を確実に洗浄することが出来る。
【図面の簡単な説明】
【００２１】
【図１】本発明に係る移動式水洗トイレ設備の実施形態を示す構成図である。
【図２】図１に示す移動式水洗トイレ設備の他の態様を示す一部構成図である。
【考案を実施するための形態】
【００２２】
本考案に係る自動車２等の車両による運搬可能な移動式水洗トイレ設備１の実施形態を図１に示す。この設備１は、膜分離汚水処理装置３０をはじめとする各構成部材を、ボルトやナットなどを使用して、あるいは単に地面に載置するなどして、取り外し自在に設置されるものである。
【００２３】
この設備１は、便器１０、汚水貯留槽２０、膜分離汚水処理装置３０、処理水貯留槽４０、加圧給水ポンプ５０、活性炭濾過装置６０、および第一オゾン処理装置７０を備える。
【００２４】
便器１０は、コック１１を備える小便器１０ａと、水タンク１２を備える両用便器１０ｂの二つで構成される。汚水貯留槽２０は、便器１０の下位に設けられ、当該便器１０から放流された汚水Ｗ１が貯留される。
【００２５】
膜分離汚水処理装置３０は、汚水調整槽３１と曝気槽３４を備える。汚水調整槽３１は、その内部に、汚水貯留槽２０の汚水Ｗ１が、汚水ポンプ２１によって第一汚水管２２を通して移送される。曝気槽３４は、その内部に、汚水調整槽３１の汚水Ｗ１が調整ポンプ３２によって第二汚水管３３を通して移送される。曝気槽３４の内部には濾過膜部３５が設けられており、この濾過膜部３５は、浸漬型平膜とセラミック膜と外圧型中空糸膜をそれぞれ多数配置して構成される。また、濾過膜部３５の直下には、ブロアから供給された空気によって気泡を発生する気泡発生機３６が設けられている。
【００２６】
処理水貯留槽４０は、その内部に、曝気槽３４の濾過膜部３５を通過した処理水Ｗ２が、吸引ポンプ３８によって、処理水管３９を通って移送される。加圧給水ポンプ５０は、小便器１０ａのコック１１または両用便器１０ｂの水タンク１２が開くことによって作動し、処理水貯留槽４０の処理水Ｗ２を、吸引管を通して小便器１０ａまたは両用便器１０ｂに供給する。活性炭濾過装置６０は、吸引管の加圧給水ポンプ５０と前記便器１０との間に設けられ、処理水Ｗ２を濾過する。
【００２７】
第一オゾン処理装置７０は、循環パイプ７１、第一オゾン発生機７３、および第一超微細気泡発生装置７４を備える。循環パイプ７１は、その一端部が処理水貯留槽４０の下端部に連通すると共に、他端部が処理水貯留槽４０の略中間部に連通し、混気ポンプ７２によって処理水貯留槽４０の処理水Ｗ２を循環させる。第一オゾン発生機７３は、循環パイプ７１にオゾン管７５によって連通し、発生させたオゾンを循環パイプ７１に供給して処理水Ｗ２に混合させる。第一超微細気泡発生装置７４は、混合された処理水Ｗ２とオゾンとでなるオゾン水を通過させて、処理水貯留槽４０に戻す。
【００２８】
本実施形態に係る移動式水洗トイレ設備１は、次のように作動する。まず、便器１０から放流された汚水Ｗ１が汚水貯留槽２０に貯留される。汚水貯留槽２０に貯留された汚水Ｗ１が所定量以上になると、当該汚水貯留槽２０に設けられた汚水ポンプ２１によって、第一汚水管２２を通して汚水調整槽３１に送られる。汚水調整槽３１に送られた汚水Ｗ１は、当該汚水調整槽３１に設けられた調整ポンプ３２によって曝気槽３４に送られる。このうち、曝気槽３４の貯留容量を超えた汚水Ｗ１は、曝気槽３４および汚水調整槽３１の壁面に連続的に形成された開口部３０ａから汚水調整槽３１に戻される。
【００２９】
曝気槽３４に送られた汚水Ｗ１は、吸引ポンプ３８によって吸引され、濾過膜部３５を通過して濾過された後、処理水Ｗ２となり、処理水管３９を通って処理水貯留槽４０に送られる。この濾過膜部３５は、浸漬型平膜、セラミック膜および外圧型中空糸膜をそれぞれ多数設けて構成されているので、汚水Ｗ１はきわめて効果的に浄化される。この濾過部によって、汚水Ｗ１は、ＢＯＤ１０ｍｇ／Ｌ〜２０ｍｇ／Ｌまで浄化される（ＢＯＤ：生物化学的酸素要求量）。また、濾過膜部３５の直下には気泡発生機３６が設けられ、第一ブロワ３７からの空気を気泡に変えて濾過膜部３５に供給するので、汚水Ｗ１はさらに効果的に浄化される。
【００３０】
処理水貯留槽４０に貯留された処理水Ｗ２は、第一オゾン処理装置７０によって処理される。すなわち、処理水Ｗ２は、混気ポンプ７２によって循環パイプ７１を循環しながら、第一オゾン発生機７３から供給されるオゾンと混合し、第一超微細気泡発生装置７４によって超微細な気泡となって処理水貯留槽４０に戻される。こうした循環を繰り返すことによって、漂白および殺菌処理され、黄ばんだ色の処理水Ｗ２が無色透明になるまで浄化される。
【００３１】
処理水貯留槽４０の処理水Ｗ２は、小便器１０ａのコック１１または両用便器１０ｂの水タンク１２が開くと、加圧給水ポンプ５０によって吸い上げられ、吸込管４１を通って小便器１０ａまたは両用便器１０ｂに供給される。この際、吸引管には活性炭濾過装置６０が設けられているので、処理水Ｗ２はこの活性炭濾過装置６０によって濾過され、さらに浄化される。従って、より浄化された処理水Ｗ２が便器１０に供給される。
【００３２】
なお、本実施形態では、吸込管４１の末端部に余剰水移送管４２を連結しており、余剰の処理水Ｗ２を運搬用タンク４３に供給している。また、余剰水移送管４２には弁４４を設け、この弁４４によって、運搬用タンク４３に供給される処理水Ｗ２の量を調節している。運搬用タンク４３に溜まった処理水Ｗ２は、他の用途（飲料水、手洗い用水を除く）に使用することもできるし、処理水貯留槽４０などに送ることもできる。
【００３３】
なお、本実施形態に係る移動式水洗トイレ設備１においては、第一オゾン処理装置７０に代えて、図２に示す、第二オゾン処理装置８０を設けることができる。この第二オゾン処理装置８０は、処理水貯留槽４０の内部に配置される第二超微細気泡発生装置８１と、その第二超微細気泡発生装置８１に連通し、低濃度のオゾンを発生させる第二オゾン発生機８３と、その第二オゾン発生機８３に連通する第二ブロワ８２とで構成される。第二超微細気泡発生装置８１と第二オゾン発生機８３と第二ブロワ８２は、オゾン混和管８４で連通されている。
【００３４】
この第二オゾン処理装置８０は、処理水貯留槽４０の処理水Ｗ２に第二ブロワ８２の空気と第二オゾン発生機８３からのオゾンを混合させて得たオゾン微細気泡を、オゾン混和管８４を通して第二超微細気泡発生装置（散気装置）８１から処理済水貯留槽の処理水Ｗ２に一定時間循環させている。これにより、処理水Ｗ２を、オゾンによって酸化分解して漂白および殺菌し、黄ばんだ処理水Ｗ２を無色透明にすることができる。
【００３５】
なお、この第二オゾン処理装置８０は、第一オゾン処理装置７０に代えて設けているが、第一オゾン処理装置７０と共に設けることもできる。この場合、処理水Ｗ２の漂白および殺菌処理を、より効果的に行うことができる。
【００３６】
本実施形態に係る移動式水洗トイレ設備１は、膜分離汚水処理装置３０をはじめとする各構成部材が取り外し自在に設置されているため、それら構成部材をトラックに搭載して下水道が完備していない地域など搬送して、容易に設置することができる。
【００３７】
また、この移動式水洗トイレ設備１は、膜分離汚水処理装置３０、第一オゾン処理装置７０、および活性炭濾過装置６０を備えているので、汚水Ｗ１を効果的に浄化することができる。これにより、汚水Ｗ１を、浄化して、繰り返し使用することができる。
【００３８】
本実施形態では、濾過膜部３５の閉塞時に該濾過膜部３５を浄化するために、次亜塩素を供給するための膜洗浄管９０を設けている。この膜洗浄管９０は、処理水パイプ９１に連通させている。処理水パイプ９１には、複合タイマー９２で定期的にそれぞれ独立して作動すると共にそれぞれマニュアル操作可能な第１電磁弁９３及び第２電磁弁９４を設けてある。
【００３９】
電磁弁９３，９４の開閉により、処理水Ｗ２を８分間流した後２分間停止し、その間、気泡発生機３６から供給される上昇気泡により、濾過膜部３５を洗浄する。それでも、なお且つ濾過膜部３５の閉塞が起きたときは、第１電磁弁９３を閉じ、膜洗浄管９０から次亜塩素を供給して、濾過膜部３５を洗浄する。
【００４０】
排水方法としては、次の２通りがある。
（イ）曝気槽３４の内濾過膜部３５の水頭圧Ｈにより吐出した、処理水を吸引ポンプ３８で処理水貯留槽４０に排水する。
（ロ）濾過膜部３５の水頭圧Ｈにより吐出した処理水を、タイマー９２で定期的に作動する電磁弁９３による開時間流出した処理水を処理水貯留槽４０に排水する。
【００４１】
また、第一オゾン処理装置７０や第二オゾン処理装置８０などのはたらきによって、便器１０に、ほぼ無色透明の浄化された処理水Ｗ２を供給することができるので、環境および衛生面の向上を図ることができる。
【符号の説明】
【００４２】
１        移動式水洗トイレ設備
２        自動車
１０      便器
１０ａ    小便器
１０ｂ    両用便器
１１      コック
１２      水タンク
２０      汚水貯留槽
２１      汚水ポンプ
２２      第一汚水管
３０      膜分離汚水処理装置
３０ａ    開口部
３１      汚水調整槽
３２      調整ポンプ
３３      第二汚水管
３４      曝気槽
３５      濾過膜部
３６      気泡発生機
３７      第一ブロワ
３８      吸引ポンプ
３９      処理水管
４０      処理水貯留槽
４１      吸込管
４２      余剰水移送管
４３      運搬用タンク
４４      弁
５０      加圧給水ポンプ
６０      活性炭濾過装置
７０      第一オゾン処理装置
７１      循環パイプ
７２      混気ポンプ
７３      第一オゾン発生機
７４      第一超微細気泡発生装置
７５      オゾン管
８０      第二オゾン処理装置
８１      第二超微細気泡発生装置
８２      第二ブロワ
８３      第二オゾン発生機
８４      オゾン混和管
９０      膜洗浄管
９１      処理水パイプ
９２      タイマー
９３      第１電磁弁
９４      第２電磁弁
Ｗ１      汚水
Ｗ２      処理水
【図１】
0003169191.tif 000003
【図２】
0003169191.tif 000004